(57)【特許請求の範囲】
【請求項１】
ＧＰＳアドバイスタイプと、ＧＰＳアドバイスレンジと、ＧＰＳアドバイスとを含む複数のＧＰＳアドバイスデータセットを格納するメモリ媒体を備える装置であって、前記メモリ媒体は、中央演算処理装置と、出力デバイスとを有するＧＰＳデバイスに動作可能に接続され、かつ前記ＧＰＳデバイスの中央演算処理装置は、現在のＧＰＳデバイス位置を計算し、かつ前記ＧＰＳデバイスのユーザから任意の位置および前記任意の位置に対するＧＰＳアドバイスタイプを受け入れ、
前記ＧＰＳデバイスの前記中央演算処理装置は、前記現在のＧＰＳデバイス位置或いは前記任意の位置を、前記複数のＧＰＳアドバイスデータセットと比較し、前記現在のＧＰＳデバイス位置或いは前記任意の位置が前記ＧＰＳアドバイスデータセットの前記ＧＰＳアドバイスレンジ内に入る場合は、前記出力デバイスへの出力のために前記ＧＰＳアドバイスデータセットを選択し、
前記ＧＰＳデバイスの前記中央演算処理装置は、前記ユーザ入力されたＧＰＳアドバイスタイプを、前記ＧＰＳアドバイスデータセットの前記ＧＰＳアドバイスタイプと比較し、前記ユーザ入力されたＧＰＳアドバイスタイプが前記ＧＰＳアドバイスデータセットの前記ＧＰＳアドバイスタイプと一致する場合は、前記出力デバイスへの出力のために前記ＧＰＳアドバイスデータセットを選択する装置。
【請求項２】
前記ＧＰＳアドバイスは、前記現在のＧＰＳデバイス位置或いは前記任意の位置に帰属する広告情報を含む請求項１記載の装置。
【請求項３】
中央演算処理装置と、出力デバイスとを有するＧＰＳデバイスに情報を提供するための方法であって、
ＧＰＳアドバイスタイプと、ＧＰＳアドバイスレンジと、ＧＰＳアドバイスとを含む複数のＧＰＳアドバイスデータセットを前記ＧＰＳデバイスに動作可能に接続されたメモリ媒体上に格納するステップを含み、前記ＧＰＳデバイスの前記中央演算処理装置は、現在のＧＰＳデバイス位置を計算し、かつ前記ＧＰＳデバイスのユーザから任意の位置および前記任意の位置に対するＧＰＳアドバイスタイプを受け入れるようにプログラムされ、
前記ＧＰＳデバイスの前記中央演算処理装置は、前記現在のＧＰＳデバイス位置或いは前記任意の位置を、前記ＧＰＳアドバイスデータセットの前記ＧＰＳアドバイスレンジと比較し、前記現在のＧＰＳデバイス位置或いは前記任意の位置が前記ＧＰＳアドバイスデータセットの前記ＧＰＳアドバイスレンジ内に入る場合は、前記出力デバイスへの出力のために前記ＧＰＳアドバイスデータセットを選択するようにプログラムされ、
前記ＧＰＳデバイスの前記中央演算処理装置は、前記ユーザ入力されたＧＰＳアドバイスタイプを、前記ＧＰＳアドバイスデータセットの前記ＧＰＳアドバイスタイプと比較し、前記ユーザ入力されたＧＰＳアドバイスタイプが前記ＧＰＳアドバイスデータセットの前記ＧＰＳアドバイスタイプと一致する場合は、前記出力デバイスへの出力のために前記ＧＰＳアドバイスデータセットを選択するようにプログラムされる方法。
【請求項４】
前記ＧＰＳアドバイスは前記現在のＧＰＳデバイス位置或いは前記任意の位置に帰属する広告情報を含む請求項３記載の方法。
【請求項５】
ＧＰＳアドバイスタイプと、ＧＰＳアドバイスレンジと、ＧＰＳアドバイスとを含む複数のＧＰＳアドバイスデータセットを格納するためのメモリの割り当てを有する少なくとも一つのＧＰＳ衛星を備えるシステムであって、前記ＧＰＳ衛星は、中央演算処理装置と、出力デバイスとを有するＧＰＳデバイスに前記ＧＰＳアドバイスデータセットを送信し、かつ前記ＧＰＳデバイスの前記中央演算処理装置は、現在のＧＰＳデバイス位置を計算し、および前記ＧＰＳデバイスのユーザから任意の位置および前記任意の位置に対するＧＰＳアドバイスタイプを受け入れ、
前記ＧＰＳデバイスの前記中央演算処理装置は、前記現在のＧＰＳデバイス位置或いは前記任意の位置を、前記送信されたＧＰＳアドバイスデータセットの前記ＧＰＳアドバイスレンジと比較し、前記現在のＧＰＳデバイス位置或いは前記任意の位置が前記送信されたＧＰＳアドバイスデータセットの前記ＧＰＳアドバイスレンジ内に入る場合は、前記出力デバイスへの出力のために前記送信されたＧＰＳアドバイスデータセットを選択し、
前記ＧＰＳデバイスの前記中央演算処理装置は、あるユーザ入力されたＧＰＳアドバイスタイプを、前記送信されかつ受信されたＧＰＳアドバイスデータセットの前記ＧＰＳアドバイスタイプと比較し、前記ユーザ入力されたＧＰＳアドバイスタイプが前記送信されかつ受信されたＧＰＳアドバイスデータセットの前記ＧＰＳアドバイスタイプと一致する場合は、前記出力デバイスへの出力のために前記ＧＰＳアドバイスデータセットを選択するシステム。
【請求項６】
前記ＧＰＳアドバイスは、少なくとも一つの前記現在のＧＰＳデバイス位置或いは前記任意の位置に帰属する広告情報を含む請求項５記載のシステム。
【請求項７】
中央演算処理装置と、出力デバイスとを有するＧＰＳデバイスに情報を提供するための方法であって、
ＧＰＳアドバイスタイプと、ＧＰＳアドバイスレンジと、ＧＰＳアドバイスとを含む複数のＧＰＳアドバイスデータセットを、少なくとも一つのＧＰＳ衛星のメモリの割り当て内に格納するステップと、
前記ＧＰＳ衛星から前記ＧＰＳアドバイスデータセットを、前記ＧＰＳデバイスによる受信のために送信するステップと、を含み、前記ＧＰＳデバイスの前記中央演算処理装置は、現在のＧＰＳデバイス位置を計算し、かつユーザから任意の位置および前記任意の位置に対するＧＰＳアドバイスタイプを受け入れるようにプログラムされ、
前記ＧＰＳデバイスの前記中央演算処理装置は、前記現在のＧＰＳデバイス位置或いは前記任意の位置を、前記送信されかつ受信されたＧＰＳアドバイスデータセットの前記ＧＰＳアドバイスレンジと比較し、前記現在のＧＰＳデバイス位置或いは前記任意の位置が、前記送信されかつ受信されたＧＰＳアドバイスデータセットの前記ＧＰＳアドバイスレンジ内に入る場合は、前記出力デバイスへの出力のために前記ＧＰＳアドバイスデータセットを選択するようにプログラムされ、
前記ＧＰＳデバイスの前記中央演算処理装置は、前記ユーザ入力されたＧＰＳアドバイスタイプを、前記送信されかつ受信されたＧＰＳアドバイスデータセットの前記ＧＰＳアドバイスタイプと比較し、前記ユーザ入力されたＧＰＳアドバイスタイプが、前記送信されかつ受信されたＧＰＳアドバイスデータセットの前記ＧＰＳアドバイスタイプと一致する場合は、前記出力デバイスへの出力のために前記送信されたＧＰＳアドバイスデータセットを選択するようにプログラムされる方法。
【請求項８】
前記ＧＰＳアドバイスは、少なくとも一つの前記現在のＧＰＳデバイス位置或いは前記任意の位置に帰属する広告情報を含む請求項７記載の方法。
【発明の詳細な説明】
【技術分野】
【０００１】
本発明は衛星利用測位システム（“ＧＰＳ”）技術と、ＧＰＳデバイスおよびこれらのユーザに情報を提供するためのシステムおよび方法とに関する。
【背景技術】
【０００２】
雑誌、ラジオ或いはテレビジョン放送等のメディアを用いてメッセージを大量伝達する従来の広告パラダイムは、顧客の選択されたグループ、更には個々の顧客に向けられた広告パラダイムに変化しつつある。全地球測位ＧＰＳ技術が広告をＧＰＳ受信機に配信するために用いられている。これら広告の配信も、軌道上のＧＰＳ衛星及び地上のＧＰＳ受信機のシステムとインタフェースするが、しかし上記システムとは別個に動作するネットワーク或いは商業のラジオ或いはテレビ放送への例えば無線アクセス等の技術に依存する。
【発明の開示】
【０００３】
本発明はＧＰＳデバイスに情報を提供するための装置および方法と、システムおよび方法である。
【０００４】
本発明の第一の実施例は、各々がＧＰＳアドバイスタイプと、ＧＰＳアドバイスレンジと、ＧＰＳアドバイスとを含む、複数のＧＰＳアドバイスデータセットが格納されるメモリ媒体を備えている。このメモリ媒体は、ＧＰＳデバイスの中央演算処理装置(“ＣＰＵ”）と、出力デバイスとに動作可能に接続される。ＣＰＵは、現在の計算された、或いはユーザ入力された、ＧＰＳデバイス位置を、各ＧＰＳアドバイスデータセット内に含まれるＧＰＳアドバイスレンジと比較し、上記ＧＰＳデバイス位置が上記ＧＰＳアドバイスデータセット内に含まれるＧＰＳアドバイスレンジ内に入る場合は、出力デバイスへの出力のためにＧＰＳアドバイスデータセットを選択する。ＣＰＵはまた、あるユーザ入力されたＧＰＳアドバイスタイプを、各ＧＰＳアドバイスデータセット内に含まれるＧＰＳアドバイスタイプと比較し、上記ＧＰＳアドバイスタイプが上記ＧＰＳアドバイスデータセット内に含まれるＧＰＳアドバイスタイプと一致するときはいつでも、出力デバイスへの出力のためにＧＰＳアドバイスデータセットを選択する。
【０００５】
本発明の第二の実施例は、各々が、ＧＰＳアドバイスタイプと、ＧＰＳアドバイスレンジと、ＧＰＳアドバイスとを含むＧＰＳアドバイスデータセットを格納するメモリのある割り当てを有する複数のＧＰＳ衛星のシステムに係る。各ＧＰＳ衛星は、ＧＰＳアドバイスデータセットを、ＣＰＵと出力デバイスとを有するＧＰＳデバイスに送信する。ＧＰＳデバイスのＣＰＵは、ある計算された或いはユーザ入力されたＧＰＳデバイス位置を、送信されかつＧＰＳデバイスによって受信されたＧＰＳアドバイスデータセット内に含まれるＧＰＳアドバイスレンジと比較し、上記ＧＰＳデバイス位置が、上記送信されたＧＰＳアドバイスデータセット内に含まれるＧＰＳアドバイスレンジ内に入る場合は、送信されたＧＰＳアドバイスデータセットを、上記出力デバイスに出力するために選択する。ＣＰＵは、加えて、あるユーザ入力されたＧＰＳアドバイスタイプを、送信されかつ受信されたＧＰＳアドバイスデータセット内に含まれるＧＰＳアドバイスタイプと比較し、上記ユーザ入力されたＧＰＳアドバイスタイプが、上記送信されかつ受信されたＧＰＳアドバイスデータセット内に含まれるＧＰＳアドバイスタイプと一致する場合は、上記送信されたＧＰＳアドバイスデータセットを、上記出力デバイスに出力するために選択する。
【０００６】
上述の実施例のいずれにおいても、ＧＰＳデバイスのユーザは、メモリ媒体或いはＧＰＳ衛星によって送信されかつ現在受信されたＧＰＳアドバイスデータセット内に、旅行と関連する商品及びサービスに対するＧＰＳアドバイスタイプによって識別されるＧＰＳアドバイス、例えば、宿、燃料、食物、車の修理及び保守、駐車設備、その他が存在しないか照会することができる。
【０００７】
本発明は、ＧＰＳデバイスに、位置特定情報及び広告をＧＰＳデバイス本体のハードウェア内に組み込むことで、或いは位置特定情報及び広告をたえずＧＰＳ衛星からＧＰＳ受信機に向けて送信されるＬ１信号上に“ピギーバッキング(piggy-backing)”することで位置特定情報及び広告を出力する長所を提供する。このため、本発明によると、位置特定情報及び広告を、無線ネットワークアクセス或いは商業用ラジオ及びテレビジョン放送へのアクセスを有するＧＰＳデバイスを装備することに依存することなく、提供することが可能となる。更に、本発明は、ＧＰＳデバイスのユーザに対して、ＧＰＳデバイスのユーザが情報への無線アクセスに関連する問題を経験するような場合に、位置特定情報及び広告のバックアップソースを提供する。
【発明を実施するための最良の形態】
【０００８】
本発明は、情報或いは広告データベースを含む通信網への無線アクセスを有するＧＰＳデバイスを装備することなく、かつ商業用ラジオ或いはテレビション放送を受信するためのＧＰＳデバイスを装備することなく、ＧＰＳデバイス位置或いはそのユーザの位置に特定なニーズと関係のある位置特定情報及び広告を提供するための新規のデバイス、システム及び方法に係る。
【０００９】
“衛星利用測位システム（ＧＰＳ）”は、米国国防省によって軌道内に置かれた衛星を利用する衛星ベースのナビゲーションシステムであり、これら衛星は、民間ＧＰＳ受信機の位置の計算に用いるために、上記民間ＧＰＳ受信機によって受信可能ないわゆる“Ｌ１”信号を送信する。
【００１０】
ここで用いられるＧＰＳデバイスなる用語は、ＧＰＳ受信機、或いは任意のＧＰＳ使用可能な(GPS-enabled)モバイル計算或いは通信デバイス、例えば、ＧＰＳ受信機に動作可能に接続されたパーソナルデジタルアシスタント（“ＰＤＡ”）、携帯、或いは手首着用、或いは衣服に付ける通信或いは計算デバイス、ラップトップ或いはノートブックコンピュータ、ページャ、或いはセルラフォン、或いはこれらの任意の組合せを意味する。
【００１１】
ＧＰＳデバイスは、ＧＰＳ衛星によって送信されたＬ１信号を受信し、上記ＧＰＳデバイスに動作可能に接続されたプログム可能な中央演算処理装置（“ＣＰＵ”）がＧＰＳデバイス位置、つまり、上記ＧＰＳデバイスの経度、緯度及び高度を計算するのに使用するために、上記Ｌ１信号からデータを抽出する。ＧＰＳデバイス位置は、典型的には、上記ＧＰＳデバイスに動作可能に接続された出力デバイス、例えば、液晶ディスプレイ、或いはＧＰＳデバイスのＣＰＵからの、オーディオビジュアル、グラフィカル或いはテキスト情報を、表示、プレゼンテーション、マニフェステーション或いは出力するための任意の他のデバイス上に供給される。
【００１２】
本発明は、ＧＰＳデバイス位置或いはユーザの位置に特定なニーズと関係がある、位置特定情報或いは広告を上記ＧＰＳデバイスの出力デバイスに出力することで提供する。
【００１３】
ここで用いられた用語“ＧＰＳアドバイス”は、データセット（これらは以降ＧＰＳアドバイスデータセットと呼ばれる）として組み立てられ、収集され、グループ化され、接続され、リンク或いは編成された、オーディオビジュアル、グラフィカル或いはテキストによる位置特定情報を意味し、このデータセットは、このデータセット内に含まれる、“ＧＰＳアドバイスタイプ“及び“ＧＰＳアドバイスレンジ”によって識別される。
【００１４】
ここで用いられた用語“ＧＰＳアドバイスタイプ”は、あるＧＰＳアドバイスデータセットを、位置特定情報或いは広告のあるカテゴリ、クラス、タイプ、或いは種類として、例えば、旅行に関連する情報の場合は、宿、食料、燃料、娯楽、駐車、ドッギング、保守、修理、その他、として識別する。
【００１５】
ここで用いられた用語“ＧＰＳアドバイスレンジ”は、あるＧＰＳアドバイスデータセットを、経度、緯度及び高度の所定のレンジの組（セット）によって識別する。ＧＰＳアドバイスレンジは、例えば、それぞれ、ある所定の固定の経度、緯度及び高度を包含する、経度、緯度、及び高度の所定のレンジのセットから成り、ここで、これら固定の経度、緯度及び高度は、例えば、ある都市の中心、ある山の頂上、或いはある半島の先端に対応する。
【００１６】
このＧＰＳアドバイスデータセットは、ＧＰＳデバイスに動作可能に接続されたメモリ媒体から得ることも、或いは上記ＧＰＳデバイスによって、ＧＰＳ衛星からＬ１信号とともに送信される専用のキャリア信号から受信することも考えられる。
【００１７】
メモリ媒体は、１つ或いは複数のハードウェアメモリデバイスの形態をした物理データ記憶装置、例えば、読出し専用メモリ“ＲＯＭ”、プログラマブル読出し専用メモリ“ＰＲＯＭ”、消去可能なプログラマブル読出し専用メモリ“ＥＰＲＯＭ”、電気的に消去可能なプログラマブル読出し専用メモリ“ＥＥＰＲＯＭ”、或いはフラッシュメモリ“フラッシュＥＥＰＲＯＭ”等であり得る。
【００１８】
本発明の第一の実施例においては、ＧＰＳアドバイス、例えば、あるモーテルチェーンの会員モーテルに対するアドレス、それらアドレスへの道案内(directions)、電話番号及び部屋の料金のリスト、或いはあるファーストフードチェーンの会員レストランに対するアドレス、それらアドレスへの道案内、電話番号及び提供するメニューのリストが、ＧＰＳアドバイスデータセットとしてＲＯＭチップ内に格納され、これがＧＰＳデバイス内にそれを製造する際に組み込まれる。
【００１９】
ＧＰＳデバイスのＣＰＵは、例えば、上記ＣＰＵによって上記ＧＰＳデバイスに対して計算されたあるＧＰＳ位置を包含するあるＧＰＳアドバイスレンジを有するＧＰＳアドバイスデータセット内に含まれるモーテル或いはレストランにアクセスし、それらを出力するようにプログラムすることも、或いはそのＧＰＳデバイスのユーザによって入力された任意のＧＰＳ位置を包含するあるＧＰＳアドバイスレンジを有するＧＰＳアドバイスデータセット内に含まれるモーテル或いはレストランにアクセスし、それらを出力するようにプログラムすることもできる。
【００２０】
本発明のこの実施例は、無線ネットワークへのアクセス、或いは商業用ラジオ或いはテレビジョン放送へのアクセスを有するＧＰＳデバイスを装備することに依存することなく、位置に特定な広告情報のソースを提供できるという長所を有する。
【００２１】
本発明は第二の実施例においては、ＧＰＳアドバイス、例えば、例えばWestern UnionTM或いはAmerican ExpressTM Offices、或いはChristian Science Reading RoomsTM或いはCitiBankTM ATMの、アドレス及び電話番号の世界ベースでのリストが、ＧＰＳアドバイスデータセットとして、任意のＧＰＳ衛星上のメモリのある割当てられた部分内に格納される。これらＧＰＳアドバイスデータセットは、例えば、ＧＰＳ衛星内で、軌道から絶えず送信するために上記ＧＰＳ衛星の標準のＬ１信号と多重化された専用キャリア信号上で変調される。
【００２２】
これらＧＰＳアドバイスデータセットは、ある適当に構成されたＧＰＳデバイスによって受信及び復調され、ＧＰＳデバイスの現在の計算された位置が、ＧＰＳ衛星によって送信され、上記ＧＰＳデバイスによって受信されたＧＰＳアドバイスデータセット内に含まれるＧＰＳアドバイスレンジ内に入るときにのみ、ユーザに出力される。
【００２３】
本発明のこの実施例は、長所として、位置特定情報のソースを、無線ネットワークへのアクセス、或いは商業用ラジオ或いはテレビジョン放送へのアクセスを有するＧＰＳデバイスを装備することなく提供することができる。むしろ位置特定情報及び広告は、それらのサポートのためにもっぱらＧＰＳ技術に依存する、最も初歩的なＧＰＳデバイスのユーザにとっても利用可能となる。
【００２４】
発明の実施例によれば、ＧＰＳデバイスのＣＰＵは、計算された或いはユーザ入力されたＧＰＳデバイス位置をメモリ媒体上に格納されている各ＧＰＳアドバイスデータセット内に含まれるＧＰＳアドバイスレンジと比較するか、或いは計算された或いはユーザ入力されたＧＰＳデバイス位置をＧＰＳ衛星によって送信されかつＧＰＳデバイスによって受信されたＧＰＳアドバイスデータセット内に含まれるＧＰＳアドバイスレンジと比較する。
【００２５】
計算された或いはユーザ入力されたＧＰＳデバイス位置が、ある格納された或いは送信されかつ受信されたＧＰＳアドバイスデータセット内に含まれるＧＰＳアドバイスレンジ内に入る場合は、上記ＧＰＳアドバイスデータセットは、上記ＧＰＳデバイスの出力デバイスに出力するために選択される。
【００２６】
あるＧＰＳデバイス位置は、あるＧＰＳデバイスの計算された或いはユーザ入力された緯度がＧＰＳアドバイスデータセットの緯度の所定のレンジ内に概ね入り、ＧＰＳデバイスの計算された或いはユーザ入力された経度がＧＰＳアドバイスデータセットの経度の所定のレンジ内に概ね入り、そして、ＧＰＳデバイスの計算された或いはユーザ入力された高度がＧＰＳアドバイスデータセットの高度の所定のレンジ内に概ね入る場合に、あるＧＰＳアドバイスレンジ内に”入る”。
【００２７】
逆に、あるＧＰＳデバイス位置は、ＧＰＳデバイスの計算された或いはユーザ入力された緯度がＧＰＳアドバイスデータセットの緯度の所定のレンジ内に概ね入いらず、ＧＰＳデバイスの計算された或いはユーザ入力された経度がＧＰＳアドバイスデータセットの経度の所定のレンジ内に概ね入いらず、及び、ＧＰＳデバイスの計算された或いはユーザ入力された高度がＧＰＳアドバイスデータセットの高度の所定のレンジ内に概ね入いらない場合は、ＧＰＳアドバイスレンジ内に入いらない。
【００２８】
ＧＰＳデバイスのＣＰＵは、加えて、ユーザ入力されたＧＰＳアドバイスのタイプを、格納されている或いは送信されかつ受信されたＧＰＳアドバイスデータセット内に含まれるＧＰＳアドバイスのタイプと比較する。ユーザ入力されたＧＰＳアドバイスのタイプが任意のアドバイスデータセットのＧＰＳアドバイスのタイプと一致する場合は、上記ＧＰＳアドバイスデータセットは、上記ＧＰＳデバイスの出力デバイスに出力するために選択される。
【００２９】
上述の実施例のいずれにおいても、ＧＰＳデバイスのユーザは、格納された或いは送信されかつ受信されたＧＰＳアドバイスデータセットについて、旅行と関連する商品或いはサービス、例えば、宿、燃料、食べ物、車の修理及び保守、駐車場、等を識別するあるＧＰＳアドバイスタイプが存在しないか照会することができる。
【００３０】
次に、図面の参照に移るが、様々な図面中、類似するパーツは類似する符号にて示される。図１には本発明の第一の実施例によるＧＰＳデバイス２０がブロック図の形式にて簡略的に示されている。この実施例においては、ＧＰＳアンテナ２５、信号処理ユニット２６、ＣＰＵ（“ＣＰＵ”）３０、及び出力デバイス３３を含むＧＰＳ受信機２１は、モバイル通信或いは計算デバイス２２とメモリ媒体２３との両方に動作可能なように接続される。
【００３１】
Ｌ１ＧＰＳ信号２４がＧＰＳアンテナ２５によって受信され、ＧＰＳ受信機２１に信号処理ユニット２６を通じて入力されるが、信号処理ユニット２６は、Ｌ１ＧＰＳ信号２４からのＧＰＳ位置データ３８を、取得、識別、分離、復調、及び抽出し、ＧＰＳ中央演算処理装置（“ＣＰＵ”）３０に入力する。ＣＰＵ３０は、抽出されたＧＰＳ位置データ３８を利用して、ＧＰＳデバイス位置を構成する位置座標の組を計算する。ＣＰＵ３０は、ＧＰＳデバイス位置を出力デバイス３３に出力する。
【００３２】
図２は、単に簡略的に図解する目的にて代表的なＧＰＳアドバイスデータセット３７を示すが、これは、オーディオビジュアル、グラフィカル或いはテキストによる位置特定情報或いは広告内容３６、ＧＰＳアドバイスタイプ３９、及びＧＰＳアドバイスレンジ４０を含み、このＧＰＳアドバイスレンジは、緯度の所定のレンジ４１、経度の所定のレンジ４２、及び高度の所定のレンジ４３を含む。
【００３３】
図２に示されるようなＧＰＳアドバイスデータセット３７の区画、領域或いは細分への分割は、単に、ＧＰＳアドバイスデータセットを構成するデータを識別及び区別することを目的とするものであり、図２に示されるＧＰＳアドバイスデータセット３７の区画、領域或いは細分への分割は、位置特定情報或いは広告３６、ＧＰＳアドバイスタイプ３９、ＧＰＳアドバイスレンジ４０、並びに経度のレンジ４１、緯度のレンジ４２、及び高度のレンジ４３の分離、割当て、配置、或いは関連付けの仕方を限定することを意図するものではない。
【００３４】
メモリ媒体２３は、様々な位置特定情報或いは広告３６、ＧＰＳアドバイスタイプ３９、及びＧＰＳアドバイスレンジ４０を含む、複数の一例として示されるようなＧＰＳアドバイスデータセット３７を格納する。
【００３５】
ＣＰＵ３０は、それが抽出されたＧＰＳ位置データ３８からＧＰＳデバイス２０に対して計算したＧＰＳデバイス位置を、メモリ媒体２３内に格納されているＧＰＳアドバイスデータセット３５の各々の中に含まれるＧＰＳアドバイスレンジ４０と比較し、それが計算したＧＰＳデバイス位置がこれら複数のＧＰＳアドバイスデータセット３５の各々の中に含まれるＧＰＳアドバイスレンジ４０内に入る場合は、これら複数のＧＰＳアドバイスデータセット３５からあるＧＰＳアドバイスデータセット３７を選択するようにプログラムされる。ＣＰＵ３０は、加えて、ＧＰＳデバイス２０のユーザによって入力されたあるＧＰＳデバイス位置を、メモリ媒体２３内に格納されているＧＰＳアドバイスデータセット３５の各々の中に含まれるＧＰＳアドバイスレンジ４０と比較し、そのユーザにて入力されたＧＰＳデバイス位置がＧＰＳアドバイスデータセット３５の各々の中に含まれるＧＰＳアドバイスレンジ４０内に入る場合は、これら複数のＧＰＳアドバイスデータセット３５からあるＧＰＳアドバイスデータセット３７を選択するようにプログラムされる。
【００３６】
ＣＰＵ３０は、さらに、あるＧＰＳデバイス２０のユーザにて入力された１つ或いは複数のＧＰＳアドバイスタイプを、メモリ媒体２３内に格納されているＧＰＳアドバイスデータセット３５の各々の中に含まれるＧＰＳアドバイスタイプ３９と比較し、そのユーザにて入力されたＧＰＳアドバイスのタイプが（それら複数の）ＧＰＳアドバイスデータセット３５の各々の中に含まれるＧＰＳアドバイスのタイプ３９と一致する場合は、それら複数のＧＰＳアドバイスデータセット３５からあるＧＰＳアドバイスデータセット３７を選択するようにプログラムされる。
【００３７】
上述の選択様式のいずれかに基づいて一つ或いは複数のＧＰＳアドバイスセットの選択を終えると、ＣＰＵ３０は、ＧＰＳデバイス２０のユーザに自動的に、定期的に、或いは要求に応じて出力するために、ＧＰＳデバイス２０の出力デバイス３３に選択されたＧＰＳアドバイスデータセットの情報内容３６をコピーする。例えば、ＣＰＵ３０は、選択されたＧＰＳアドバイスデータセットの、出力デバイス３３に出力された情報内容３６を、ＧＰＳデバイス位置が出力デバイス３３に出力される度に、表示するようにプログラムされる。
【００３８】
図３に簡略的に示されるように、本発明の第二の実施例においては、ＧＰＳ衛星４９上のＧＰＳ衛星アンテナ３４は、１つ或いは複数の外部送信機５２からそれに送信された衛星に向かうＧＰＳアドバイスデータセット５１を運ぶ衛星に向かうキャリア信号５０を受信する。
【００３９】
ＧＰＳ衛星受信機４７は、衛星に向かうキャリア信号５０のパッセージ(passage)を追跡するＧＰＳ衛星アンテナ３４からのＧＰＳアドバイスデータセット５１を、信号入力回路４８を介して受信し、衛星に向かうＧＰＳアドバイスデータセット５１を、識別、復調及び抽出する。ＧＰＳ衛星受信機４７は、その後、衛星に向かうＧＰＳアドバイスデータセット５１をＧＰＳ衛星４９のコンピュータメモリのある割当て５３内に格納する。
【００４０】
ＧＰＳ衛星信号出力回路４６は、ＧＰＳ衛星のコンピュータメモリの割当て５３から、ＧＰＳアドバイスデータセット５１を、専用の衛星から送信されるキャリア信号５５上に、衛星から送信されるＧＰＳアドバイスデータセット４５として再変調するために回復する。ＧＰＳ衛星信号出力回路４６は、その後、この専用の衛星から送信されるキャリア信号５５を、ＧＰＳ衛星送信機５４によって絶えず送信されるＬ１信号２４と多重化する。
【００４１】
ＧＰＳ衛星４９は、軌道を回るＧＰＳ衛星の衛星座(constellation)を構成する２４個のＧＰＳ衛星の任意の１つであり得る。各ＧＰＳ衛星内のＧＰＳ衛星受信機４７及びＧＰＳ衛星信号入力回路４８は、１つ或いは複数の外部送信機５２からそれに送信される異なる形態、タイプ或いは類型の衛星に向かうＧＰＳアドバイスデータセット５１を運ぶ衛星に向かうキャリア信号５０を捕捉、識別、復調及び抽出するように適応される。
【００４２】
ＧＰＳデバイス２０のＧＰＳ受信機２１及び信号処理回路２６は、衛星から送信されるＧＰＳアドバイスデータセット４４を抽出するために、衛星から送信される専用のキャリア信号５５を、捕捉、識別、及び復調するように適応される。ＣＰＵ３０は、それによってＧＰＳデバイス２０に対して計算されたＧＰＳデバイス位置、あるＧＰＳデバイス２０のユーザにて入力されたＧＰＳデバイス位置を、抽出された衛星から送信されたＧＰＳアドバイスデータセット４４内に含まれるＧＰＳアドバイスレンジ４０と比較し、その計算された或いはユーザ入力されたＧＰＳデバイス位置がその抽出された衛星から送信されたＧＰＳアドバイスデータセット４４内に含まれるＧＰＳアドバイスレンジ４０内に入る場合にのみ、抽出された衛星から送信されたＧＰＳアドバイスデータセット４４をＧＰＳデバイス２０の出力デバイス３３にコピーするようにプログラムされる。
【００４３】
ＣＰＵ３０は、加えて、あるＧＰＳデバイス２０のユーザ入力されたあるＧＰＳアドバイスタイプを、抽出された衛星から送信されたＧＰＳアドバイスデータセット４４内に含まれるＧＰＳアドバイスのタイプ３９と比較し、そのユーザ入力されたＧＰＳアドバイスタイプがその抽出された衛星から送信されたＧＰＳアドバイスデータセット４４内に含まれるＧＰＳアドバイスタイプ３９と一致する場合にのみ、抽出された衛星から送信されたＧＰＳアドバイスデータセット４４をＧＰＳデバイス２０の出力デバイス３３にコピーするようにプログラムされる。
【００４４】
ＣＰＵ３０は、更に、抽出された衛星から送信されたＧＰＳアドバイスデータセット４４を、その計算された或いはユーザ入力されたＧＰＳデバイス位置がそのＧＰＳアドバイスのレンジ４０内に入らない場合、或いはユーザ入力されたＧＰＳアドバイスのタイプが、抽出された衛星から送信されたＧＰＳアドバイスデータセット４４内に含まれる、ＧＰＳアドバイスのタイプ３９と一致しない場合は、無視するようにプログラムされる。
【００４５】
衛星から送信されるＧＰＳアドバイスデータセット４５、抽出された衛星から送信されるＧＰＳアドバイスデータセット４４及びＧＰＳアドバイスデータセット３７は広告を含むこともできる。
【００４６】
上述の本発明の実施例及び使用についての説明は図解及び解説のために提供されたものであり、網羅的なもので他を許さないようなものであることも、或いは、本発明を、厳密に開示された形態或いは使用にと厳格に制限することを意図されるものではなく、明らかに、多くの修正及びバリエーションが可能である。これら修正及びバリエーションも、当業者においては明らかなように、添付のクレームによって定義される本発明の範囲内に含まれるものである。
【００４７】
本発明をより良く理解するためには添付の図面を参照されたい。
【図面の簡単な説明】
【００４８】
【図１】メモリ媒体に動作可能に接続されたＧＰＳデバイスのブロック図である。
【図２】あるＧＰＳアドバイスデータセットと、あるメモリ媒体上に格納された複数のＧＰＳアドバイスデータセットの略図である。
【図３】ＧＰＳアドバイスデータセットをＧＰＳデバイスに提供するためのＧＰＳ衛星ベースのシステムの略図である。
【図１】
0005324022.tif 000002
【図２】
0005324022.tif 000003
【図３】
0005324022.tif 000004